(57)【特許請求の範囲】
【請求項１】
家具部材であって、
固定ベースフレームと、
前記ベースフレームにより支持される背もたれフレームであって、前記背もたれフレームの上部は、ヒンジブラケットを介して前記ベースフレームに接続されており、前記ヒンジブラケットの軸を中心として前記ベースフレームに対して枢動可能な背もたれフレームと、
前記ベースフレームにより支持され、前記背もたれフレームおよび前記ベースフレームに対して移動可能な座面フレームと、
前記ベースフレーム、前記背もたれフレーム、前記座面フレームおよびレッグレスト台に装着され、第１位置および第２位置の間を移動可能なリンク機構と、を備える家具部材において、
前記リンク機構が前記第１位置に向かって移動することにより、前記背もたれフレームが完全直立位置に向かって移動すると同時に、前記レッグレスト台が収納位置に向かって移動し、
前記リンク機構が前記第２位置に向かって移動することにより、前記背もたれフレームが完全リクライニング位置に向かって移動すると同時に、前記レッグレスト台が完全伸展位置に向かって移動する、ことを特徴とする家具部材。
【請求項２】
請求項１に記載の家具部材において、 
前記ベースフレームは、前記第１位置に位置する前記リンク機構が収納される空間を形成する、ことを特徴とする家具部材。
【請求項３】
請求項１に記載の家具部材において、 
前記リンク機構は、第１方向へ操作可能な単一のモータにより動力を供給され、前記背もたれを前記完全直立位置から前記完全リクライニング位置へ移動させ、同時に前記レッグレスト台を前記収納位置から前記完全伸展位置へ移動させ、
前記単一のモータが、第２方向へ操作可能とされ、前記背もたれを前記完全リクライニング位置から前記完全直立位置へ移動させ、同時に前記レッグレスト台を前記完全伸展位置から前記収納位置へ移動させる、ことを特徴とする家具部材。
【請求項４】
請求項３に記載の家具部材において、 
前記モータは、ガイド部材に沿って直線的にスライド部材を移動させ、
前記スライド部材は、前記座面フレームに回動可能に装着され、 
前記ガイド部材は、前記ベースフレームに回動可能に装着される、ことを特徴とする家具部材。
【請求項５】
請求項１に記載の家具部材において、 
前記リンク機構は、第１部材と、前記第１部材の全長に沿って移動可能な第２部材とを備えるトラックアセンブリを備え、
前記第２部材は、前記レッグレスト台を支持する台ブラケットと回動可能に連結される、ことを特徴とする家具部材。
【請求項６】
請求項５に記載の家具部材において、 
前記リンク機構は、前記第１部材と連結され、前記第１部材に対して回動し、前記第２部材に対して前記第１部材と共に移動するスローアームを備える、ことを特徴とする家具部材。
【請求項７】
請求項６に記載の家具部材において、 
前記スローアームは、前記台ブラケットに回動可能に連結される伸展リンクに回動可能に連結される、ことを特徴とする家具部材。
【請求項８】
請求項７に記載の家具部材において、 
前記ベースフレームは、前記第１部材の湾曲トラックに収納される第１ローラーを備える、ことを特徴とする家具部材。
【請求項９】
請求項８に記載の家具部材において、 
前記ベースフレームは、前記座面フレームに固定される別のトラックに収納される第２ローラーを備える、ことを特徴とする家具部材。
【請求項１０】
請求項９に記載の家具部材において、 
前記スローアームは、その全長に沿って、異なる３地点で第１リンク、第２リンクおよび第３リンクに回動可能に連結される、ことを特徴とする家具部材。
【請求項１１】
請求項１０に記載の家具部材において、 
前記スローアームの回動により、前記ベースフレームに対して前記背もたれフレームが枢動すると共に、前記ベースフレームに対して前記座面フレームおよび前記レッグレスト台がそれぞれ移動する、ことを特徴とする家具部材。
【請求項１２】
請求項１に記載の家具部材において、 
前記ベースフレームは、単一のシートアセンブリ用に構成される、ことを特徴とする家具部材。
【請求項１３】
請求項１に記載の家具部材において、 
前記ベースフレームは、複数のシートアセンブリ用に構成される、ことを特徴とする家具部材。
【請求項１４】
家具部材であって、
固定ベースフレームと、
前記ベースフレームにより支持され、前記ベースフレームに対してヒンジブラケットを介して枢動可能に接続された背もたれフレームと、
前記ベースフレームにより支持され、前記背もたれフレームおよび前記ベースフレームに対して移動可能な座面フレームと、
前記ベースフレーム、前記背もたれフレーム、前記座面フレームおよびレッグレスト台に装着され、第１位置および第２位置の間を移動可能なリンク機構と、を備える家具部材において、
前記リンク機構が前記第１位置に向かって移動することにより、前記背もたれフレームが完全直立位置に向かって移動すると同時に、前記レッグレスト台が収納位置に向かって移動し、
前記リンク機構が前記第２位置に向かって移動することにより、前記背もたれフレームが完全リクライニング位置に向かって移動すると同時に、前記レッグレスト台が完全伸展位置に向かって移動することを特徴とする家具部材。
【請求項１５】
請求項１４に記載の家具部材において、
前記リンク機構は、第１部材と、前記第１部材の全長に沿って移動可能な第２部材とを備えるトラックアセンブリを備え、
前記第２部材は、前記レッグレスト台を支持する台ブラケットと回動可能に連結される、ことを特徴とする家具部材。
【請求項１６】
請求項１５に記載の家具部材において、 
前記リンク機構は、前記第１部材と連結され、前記第１部材に対して回動し、前記第２部材に対して前記第１部材と共に移動するスローアームを備える、ことを特徴とする家具部材。
【請求項１７】
請求項１６に記載の家具部材において、 
前記スローアームは、前記台ブラケットに回動可能に連結される伸展リンクに回動可能に連結される、ことを特徴とする家具部材。
【請求項１８】
請求項１７に記載の家具部材において、 
前記ベースフレームは、前記第１部材の湾曲トラックに収納される第１ローラーを備える、ことを特徴とする家具部材。
【請求項１９】
請求項１８に記載の家具部材において、 
前記ベースフレームは、前記座面フレームに固定される別のトラックに収納される第２ローラーを備える、ことを特徴とする家具部材。
【請求項２０】
請求項１９に記載の家具部材において、 
前記スローアームは、その全長に沿って、異なる３地点で第１リンク、第２リンクおよび第３リンクに回動可能に連結される、ことを特徴とする家具部材。
【請求項２１】
請求項２０に記載の家具部材において、 
前記背もたれフレームは、当該背もたれフレームの上部に装着されたヒンジブラケットを介して前記ベースフレームに接続されており、前記ヒンジブラケットの軸を中心として前記ベースフレームに対して枢動可能である、ことを特徴とする家具部材。
【請求項２２】
請求項２１に記載の家具部材において、
前記リンク機構が、第１方向へ操作可能な単一のモータにより動力を供給され、前記背もたれを前記完全直立位置から前記完全リクライニング位置へ移動させ、同時に前記レッグレスト台を前記収納位置から前記完全伸展位置へ移動させ、
前記単一のモータは、第２方向へ操作可能とされ、前記背もたれを前記完全リクライニング位置から前記完全直立位置へ移動させ、同時に前記レッグレスト台を前記完全伸展位置から前記収納位置へ移動させる、ことを特徴とする家具部材。
【請求項２３】
請求項２２に記載の家具部材において、 
前記モータは、ガイド部材に沿って直線的にスライド部材を移動させ、
前記スライド部材は、前記座面フレームに回動可能に装着され、 
前記ガイド部材は、前記ベースフレームに回動可能に装着される、ことを特徴とする家具部材。
【請求項２４】
請求項１４に記載の家具部材において、 
前記リンク機構は、前記収納位置にある時、略２８インチ以上３２インチ以下の奥行きを有するスペース内に格納され、前記完全伸展位置において、前記座面フレームの前方略１８インチ以上２０インチ以下まで前記レッグレスト台を伸展させ、
前記奥行きは、前記家具部材の前端と後端の間の、前記家具部材が置かれる床と平行である、ことを特徴とする家具部材。
【請求項２５】
請求項２４に記載の家具部材において、 
前記ベースフレームは、略５インチ以上６インチ以下の高さの脚部を備え、 
前記リンク機構は、前記収納位置で、前記脚部の上端より上方に全体が配置される、ことを特徴とする家具部材。
【請求項２６】
請求項２５に記載の家具部材において、
前記床と前記座面フレームの上面との鉛直方向距離は、前記収納位置で略１１インチ以上１２インチ以下である、ことを特徴とする家具部材。
【請求項２７】
請求項２６に記載の家具部材において、
前記座面フレームは、前記ベースフレームに対して、略６インチ以上８インチ以下の分だけ前方に移動する、ことを特徴とする家具部材。
【請求項２８】
請求項２７に記載の家具部材において、 
前記座面フレームは、前記リンク機構が前記収納位置から前記完全伸展位置に移動するにしたがい、前記背もたれフレームから離れる、ことを特徴とする家具部材。
【請求項２９】
家具部材であって、
固定ベースフレームと、
前記ベースフレームにより支持され、前記ベースフレームに対してヒンジブラケットを介して枢動可能に接続された背もたれフレームと、
前記ベースフレームにより支持され、前記背もたれフレームおよび前記ベースフレームに対して移動可能な座面フレームと、
前記ベースフレーム、前記背もたれフレーム、前記座面フレームおよびレッグレスト台に装着され、第１位置および第２位置の間を移動可能なリンク機構と、を備える家具部材において、
前記リンク機構が前記第１位置に向かって移動することにより、前記背もたれフレームが完全直立位置に向かって移動すると同時に、前記レッグレスト台が収納位置に向かって移動し、
前記リンク機構が前記第２位置に向かって移動することにより、前記背もたれフレームが完全リクライニング位置に向かって移動すると同時に、前記レッグレスト台が完全伸展位置に向かって移動し、
前記リンク機構は、第１湾曲トラックと第２湾曲トラックを備え、 
前記第１湾曲トラックは、前記ベースフレームに装着された第１ローラーと、前記座面フレームに装着された第２ローラーとを移動可能に収容し、
前記第２湾曲トラックは、前記第１湾曲トラックに装着された第３ローラーを収容し、前記第１湾曲トラックと前記第２湾曲トラックとの間の相対的伸縮移動を可能とし、
前記第２湾曲トラックは、前記レッグレスト台を回動可能に支持する、ことを特徴とする家具部材。
【請求項３０】
請求項２９に記載の家具部材において、
前記座面フレームは、前記座面フレームに固定される第３湾曲トラックを備え、前記第３湾曲トラックは、前記ベースフレームに装着される第４ローラーを収容する、ことを特徴とする家具部材。
【請求項３１】
請求項３０に記載の家具部材において、 
前記第２湾曲トラックは、前記第１位置から前記第２位置への前記リンク機構の動き始めにおいて、前記レッグレスト台が沈み込むような動きをするように形成され、
その後、前記リンク機構の前記第２位置への継続的動作に応じて、前記レッグレスト台を伸展し持ち上げるように、前記第２湾曲トラックは形成される、ことを特徴とする家具部材。
【請求項３２】
請求項３１に記載の家具部材において、
前記リンク機構は、前記第１湾曲トラックと連結され、前記第１湾曲トラックに対して回動し、前記第２湾曲トラックに対して前記第１湾曲トラックと共に移動するスローアームを備える、ことを特徴とする家具部材。
【請求項３３】
請求項３２に記載の家具部材において、 
前記スローアームは、前記レッグレスト台に回動可能に連結される伸展リンクに回動可能に連結される、ことを特徴とする家具部材。
【請求項３４】
請求項３３に記載の家具部材において、 
前記リンク機構は、前記スローアームの全長に沿って、異なる３地点で前記スローアームに回動可能に連結される第１リンク、第２リンクおよび第３リンクを備える、ことを特徴とする家具部材。
【請求項３５】
請求項３４に記載の家具部材において、 
前記背もたれフレームの上部は、ヒンジブラケットを介して前記ベースフレームに接続されており、前記背もたれフレームは、前記ヒンジブラケットの軸を中心として前記ベースフレームに対して枢動可能である、ことを特徴とする家具部材。
【請求項３６】
請求項３５に記載の家具部材において、 
前記ベースフレームは、前記第１位置に位置する前記リンク機構が収納される空間を形成する、ことを特徴とする家具部材。
【請求項３７】
請求項２９に記載の家具部材において、
前記第２湾曲トラックは、湾曲部と傾斜端部とを備える、ことを特徴とする家具部材。
【請求項３８】
家具部材であって、
固定ベースフレームと、
前記ベースフレームにより支持され、前記ベースフレームに対してヒンジブラケットを介して枢動可能に接続された背もたれフレームと、
前記ベースフレームにより支持され、前記背もたれフレームおよび前記ベースフレームに対して移動可能な座面フレームと、
前記ベースフレーム、前記背もたれフレーム、前記座面フレームおよびレッグレスト台に装着され、第１位置および第２位置の間を移動可能なリンク機構と、を備える家具部材において、
前記リンク機構が前記第１位置に向かって移動することにより、前記背もたれフレームが完全直立位置に向かって移動すると同時に、前記レッグレスト台が収納位置に向かって移動し、
前記リンク機構が前記第２位置に向かって移動することにより、前記背もたれフレームが完全リクライニング位置に向かって移動すると同時に、前記レッグレスト台が完全伸展位置に向かって移動し、
前記リンク機構は、湾曲トラック部材とパンタグラフリンク機構を備え、 
前記湾曲トラック部材は、前記ベースフレームに装着された第１ローラーと、前記座面フレームに装着された第２ローラーとを移動可能に収容し、
前記パンタグラフリンク機構は、前記湾曲トラック部材により移動可能に支持され、前記レッグレスト台を移動可能に支持する、ことを特徴とする家具部材。
【請求項３９】
請求項３８に記載の家具部材において、 
前記ベースフレームに対して前記湾曲トラック部材が移動することにより、前記レッグレスト台を前記ベースフレームに対して移動させる、ことを特徴とする家具部材。
【請求項４０】
請求項３９に記載の家具部材において、 
前記湾曲トラック部材に対して前記パンタグラフリンク機構が移動することにより、前
記レッグレスト台を伸展し前記ベースフレームに対して持ち上げる、ことを特徴とする家具部材。
【請求項４１】
請求項４０に記載の家具部材において、 
前記背もたれフレームは、その上部を通って伸びる軸を中心として前記ベースフレームに対して枢動可能である、ことを特徴とする家具部材。
【請求項４２】
家具部材であって、
固定ベースフレームと、
前記ベースフレームにより支持される第１背もたれフレームであって、前記第１背もたれフレームの上部は、第１ヒンジブラケットを介して前記ベースフレームに接続されており、前記第１ヒンジブラケットの軸を中心として前記ベースフレームに対して枢動可能である第１背もたれフレームと、
前記ベースフレームにより支持され、前記第１背もたれフレームおよび前記ベースフレームに対して移動可能な第１座面フレームと、
前記ベースフレームにより支持される第２背もたれフレームであって、前記第２背もたれフレームの上部は、第２ヒンジブラケットを介して前記ベースフレームに接続されており、前記第２ヒンジブラケットの軸を中心として前記ベースフレームに対して枢動可能である第２背もたれフレームと、
前記ベースフレームにより支持され、前記第２背もたれフレームおよび前記ベースフレームに対して移動可能な第２座面フレームと、
前記第１背もたれフレームおよび前記第２背もたれフレームを覆う単一の背もたれ張地シートと、前記第１座面フレームを覆う第１座面張地と、前記第２座面フレームを覆う第２座面張地とを備える椅子張りシステムと、を備える家具部材において、
前記背もたれ張地シートは、上部と、前記第１背もたれフレームに対応する第１下部と、前記第２背もたれフレームに対応する第２下部と、を備え、
前記第１下部および前記第２下部は、前記上部に対して独立に移動可能である、ことを特徴とする家具部材。
【請求項４３】
請求項４２に記載の家具部材において、 
前記背もたれ張地シートの前記第１下部および前記第２下部は、前記第１背もたれフレームおよび前記第２背もたれフレームがリクライニング位置にある時、前記第１座面張地および前記第２座面張地から離れる、ことを特徴とする家具部材。
【請求項４４】
請求項４３に記載の家具部材において、 
前記背もたれ張地シートの前記第１下部および前記第２下部はそれぞれ、前記第１背もたれフレームおよび前記第２背もたれフレームが直立位置にある時、前記第１座面張地および前記第２座面張地に当接する、ことを特徴とする家具部材。
【請求項４５】
請求項４４に記載の家具部材において、
前記ベースフレーム、前記第１背もたれフレームおよび前記第２背もたれフレームの一方、前記第１座面フレームおよび前記第２座面フレームの一方、並びにレッグレスト台に装着され、第１位置および第２位置の間を移動可能なリンク機構と、を備え、
前記リンク機構が前記第１位置に向かって移動することにより、前記第１背もたれフレームおよび前記第２背もたれフレームの前記一方が完全直立位置に向かって移動すると同時に、前記レッグレスト台が収納位置に向かって移動し、
前記リンク機構が前記第２位置に向かって移動することにより、前記第１背もたれフレームおよび前記第２背もたれフレームの前記一方が完全リクライニング位置に向かって移動すると同時に、前記レッグレスト台が完全伸展位置に向かって移動する、ことを特徴とする家具部材。
【請求項４６】
請求項４５に記載の家具部材において、 
前記リンク機構は、第１湾曲トラックと第２湾曲トラックを備え、 
前記第１湾曲トラックは、前記ベースフレームに装着された第１ローラーと、前記第１座面フレームおよび前記第２座面フレームの前記一方に装着された第２ローラーとを移動可能に収容し、
前記第２湾曲トラックは、前記第１湾曲トラックに装着された第３ローラーを収容し、前記第１湾曲トラックと前記第２湾曲トラックとの間の相対的伸縮移動を可能とし、
前記第２湾曲トラックは、前記レッグレスト台を回動可能に支持する、ことを特徴とする家具部材。
【請求項４７】
請求項４６に記載の家具部材において、 
前記第１座面フレームおよび前記第２座面フレームの前記一方は、当該一方に固定される第３湾曲トラックを備え、
前記第３湾曲トラックは、前記ベースフレームに装着される第４ローラーを収容する、ことを特徴とする家具部材。
【発明の詳細な説明】
【技術分野】
【０００１】
本願開示は、家具部材用のリクライニング／レッグレスト機構に関する。
【背景技術】
【０００２】
本セクションは、本願開示事項に関連する背景情報を提供するが、これは必ずしも先行技術にはあたらない。
【０００３】
家具部材（例えば、椅子、ソファ、二人掛け椅子）は、伸縮可能なレッグレストと、リクライニングできる背もたれとを備える。このような機能性は、見た目の美しさを犠牲にすることが多い。すなわち、このような従来の可動式家具部材において、見た目に美しい設計を実現するのに取り得る選択肢は、レッグレストの配置および収納、並びに、背もたれおよび座面の移動を可能とする機構を設けることに限定されがちである。従来のリクライニング／レッグレスト機構では、最近の固定式家具部材で一般的な、特定の見た目に美しい構造およびスタイルを取り入れることはできない。本願開示は、従来の機構では実現できない所望の見た目に美しい構造が組み込まれた全体の構造に、リクライニング／レッグレスト機構が組み込まれた家具部材を提供する。
【発明の概要】
【０００４】
本セクションは、開示事項の概略を示すものであり、その範囲全体又はその全ての特徴を包括的に開示するものではない。
【０００５】
ひとつの形態において、本願開示は、固定ベースフレーム、背もたれフレーム、座面フレームおよびリンク機構を備えてもよい家具部材を提供する。背もたれフレームは、ベースフレームにより支持され、ベースフレームに対して枢動可能であってもよい。座面フレームは、ベースフレームにより支持され、背もたれフレームおよびベースフレームに対して移動可能であってもよい。リンク機構は、ベースフレーム、背もたれフレーム、座面フレームおよびレッグレスト台に装着されてもよい。リンク機構は、第１位置と第２位置との間を移動可能であってもよい。リンク機構が第１位置に向かって移動することにより、背もたれフレームが完全直立位置側に移動すると同時に、レッグレスト台が収納位置側に移動してもよい。リンク機構が第２位置に向かって移動することにより、背もたれフレームが完全リクライニング位置側に移動すると同時に、レッグレスト台が完全伸展位置側に移動してもよい。
【０００６】
いくつかの構成においては、背もたれフレームは、ベースフレームに対して、背もたれフレームの上部（例えば、垂直方向上端またはその近傍）を通って伸びる軸を中心に枢動可能である。
【０００７】
いくつかの構成では、ベースフレームは、リンク機構が第１位置にある時、リンク機構全体を見えないようにする。
【０００８】
いくつかの構成では、リンク機構が、第１方向へ操作可能な単一のモータにより動力を供給され、背もたれを完全直立位置から完全リクライニング位置へ移動させつつ、同時に、レッグレスト台を収納位置から完全伸展位置へ移動させる。単一のモータは、第２方向へ操作可能とされ、背もたれを完全リクライニング位置から完全直立位置へ移動させ、同時にレッグレスト台を完全伸展位置から収納位置へ移動可能である。
【０００９】
いくつかの構成では、モータは、ガイド部材に沿って直線的にスライド部材を移動させる。スライド部材は、座面フレームに回動可能に装着され、ガイド部材は、ベースフレームに回動可能に装着されてもよい。
【００１０】
いくつかの構成では、リンク機構は、第１部材と、第１部材の全長に沿って移動可能な第２部材とを備えるトラックアセンブリを備える。第２部材は、レッグレスト台を支持する台ブラケットと回動可能に連結されてもよい。
【００１１】
いくつかの構成では、リンク機構は、第１部材と連結され、第１部材に対して回動し、第２部材に対して第１部材と共に移動するスローアームを備える。
【００１２】
いくつかの構成では、スローアームは、台ブラケットに回動可能に連結される伸展リンクに回動可能に連結される。
【００１３】
いくつかの構成では、ベースフレームは、第１部材の湾曲トラックに収納される第１ローラーを備える。
【００１４】
いくつかの構成では、ベースフレームは、座面フレームに固定される別のトラックに収納される第２ローラーを備える。
【００１５】
いくつかの構成では、スローアームは、その全長に沿って、異なる３地点で第１リンク、第２リンクおよび第３リンクに回動可能に連結される。
【００１６】
いくつかの構成では、スローアームの回動により、ベースフレームに対する背もたれフレーム、座面フレームおよびレッグレスト台の移動のタイミングが決定される。
【００１７】
いくつかの構成では、ベースフレームは、単一のシートアセンブリ用に構成される。
【００１８】
いくつかの構成では、ベースフレームは、複数のシートアセンブリ用に構成される。
【００１９】
いくつかの構成では、リンク機構は、第１湾曲トラックと第２湾曲トラックを備える。第１湾曲トラックは、ベースフレームに装着された第１ローラーと、座面フレームに装着された第２ローラーとを移動可能に収容してもよい。第２湾曲トラックは、第１湾曲トラックに装着された第３ローラーを収容し、第１湾曲トラックと第２湾曲トラックとの間の相対的伸縮移動を可能としてもよい。第２湾曲トラックは、レッグレスト台を回動可能に支持してもよい。
【００２０】
いくつかの構成では、座面フレームは、座面フレームに固定される第３湾曲トラック部材を備える。第３湾曲トラック部材は、ベースフレームに装着される第４ローラーを収容してもよい。
【００２１】
いくつかの構成では、第２湾曲トラックは、第１位置から第２位置へのリンク機構の動き始めにおいて、レッグレスト台が沈み込むような動きをするように形成される。その後、リンク機構の第２位置への継続的動作に応じて、レッグレスト台を伸展し持ち上げるように、第２湾曲トラックは形成されてもよい。
【００２２】
いくつかの構成では、リンク機構は、湾曲トラック部材とパンタグラフリンク機構を備える。湾曲トラックは、ベースフレームに装着された第１ローラーと、座面フレームに装着された第２ローラーとを移動可能に収容してもよい。パンタグラフリンク機構は、湾曲トラック部材により移動可能に支持されてもよく、レッグレスト台を移動可能に支持してもよい。
【００２３】
いくつかの構成では、ベースフレームに対して湾曲トラック部材が移動することにより、レッグレスト台をベースフレームに対して移動させる。
【００２４】
いくつかの構成では、湾曲トラック部材に対してパンタグラフリンク機構が移動することにより、レッグレスト台を伸展しベースフレームに対して持ち上げる。
【００２５】
いくつかの構成では、リンク機構は、完全収納位置にある時、略２８インチ以上３２インチ以下（例えば、３０インチ）の奥行きを有するスペース内に格納され、完全伸展位置において、座面フレームの前方略１８インチ以上２０インチ以下まで（例えば、１９インチ）レッグレスト台を伸展させるよう構成される。奥行きは、家具部材の前端と後端の間の、家具部材が置かれる床と平行である。
【００２６】
いくつかの構成では、ベースフレームは、略５インチ以上６インチ以下（例えば、５．５インチ）の高さの脚部を備え、リンク機構は、完全収納位置で、脚部の上端より上方に全体が配置される。
【００２７】
いくつかの構成では、床と座面フレームの上面との鉛直方向距離は、完全収納位置で略１１インチ以上１２インチ以下（例えば、１１．５インチ）である。
【００２８】
いくつかの構成では、座面フレームは、ベースフレームに対して、略６インチ以上８インチ以下（例えば、７インチ）の分だけ前方に移動する。
【００２９】
いくつかの構成では、座面フレームは、リンク機構が完全収納位置から完全伸展位置に移動するにしたがい、背もたれフレームから離れる。
【００３０】
別の形態において、本願開示は、固定ベースフレーム、第１背もたれフレーム、第２背もたれフレーム、第１座面フレーム、第２座面フレーム、および椅子張りシステムを備えてもよい家具部材を提供する。第１背もたれフレームおよび第２背もたれフレームは、ベースフレームにより支持され、それぞれの上部を通って伸びる軸を中心として、相互にかつベースフレームに対して枢動可能であってもよい。第１背もたれフレームおよび第２背もたれフレームは、直立位置とリクライニング位置との間で枢動可能である。第１座面フレームおよび第２座面フレームは、ベースフレームにより支持され、第１および第２背もたれフレームおよびベースフレームに対して移動可能であってもよい。椅子張りシステムは、第１背もたれフレームおよび第２背もたれフレームを覆う単一の背もたれ張地シートと、第１座面フレームを覆う第１座面張地と、第２座面フレームを覆う第２座面張地とを備える。背もたれ張地シートは、上部と、第１背もたれフレームに対応する第１下部と、第２背もたれフレームに対応する第２下部と、を備える。第１下部および第２下部は、上部に対して独立に移動可能である。
【００３１】
いくつかの構成において、背もたれ張地シートの第１下部および第２下部は、第１背もたれフレームおよび第２背もたれフレームがリクライニング位置にある時、第１座面張地および第２座面張地から離れる。
【００３２】
いくつかの構成において、背もたれ張地シートの第１下部および第２下部はそれぞれ、第１背もたれフレームおよび第２背もたれフレームが直立位置にある時、第１座面張地および第２座面張地に当接する。
【００３３】
利用可能なさらなる領域は、本明細書の記載から自明となる。この概要における説明および特定の実施例は、説明のみを目的とするものであり、本願開示の範囲を限定するものではない。
【図面の簡単な説明】
【００３４】
ここに示される図面は、選択された実施形態の説明のみを目的とするものであり、可能な全ての実施を示すものではなく、本願開示事項の範囲を限定することを意図するものでもない。
【図１】収納位置にあるリクライニング／レッグレスト機構を有するシートアセンブリを備えた家具部材の斜視図である（もう一つの家具部材のシートアセンブリは、分かり易くするために省かれた）。
【図２Ａ】機構が収納位置にある時の、図１の家具部材の側面図である。
【図２Ｂ】機構が収納位置にあり、かつ、分かり易くするために、ベースフレームの一部が取り除かれた、図１の家具部材の別の側面図である。
【図３】リクライニング／レッグレスト機構が伸展位置にある時の、図１の家具部材の斜視図である。
【図４】機構が伸展位置にあり、かつ、分かり易くするために、ベースフレームの一部が取り除かれた、図１の家具部材の側面図である。
【図５】リクライニング／レッグレスト機構が伸展位置にある時の、図１の家具部材の別の斜視図である。
【図６】リクライニング／レッグレスト機構が伸展位置にある時の、図１の家具部材の部分斜視図である。
【図７】リクライニング／レッグレスト機構が伸展位置にある時の、図１の家具部材の別の斜視図である。
【図８】収納位置にあるリクライニング／レッグレスト機構の斜視図である。
【図９】収納位置にあるリクライニング／レッグレスト機構の別の斜視図である。
【図１０】収納位置にあるリクライニング／レッグレスト機構の側面図である。
【図１１】収納位置にあるリクライニング／レッグレスト機構の別の側面図である。
【図１２】伸展位置にあるリクライニング／レッグレスト機構の側面図である。
【図１３】収納位置にあるリクライニング／レッグレスト機構の別の側面図である。
【図１４】リクライニング／レッグレスト機構が収納位置にある、別の家具部材の斜視図である。
【図１５】リクライニング／レッグレスト機構が収納位置にある時の、図１４の家具部材の側面図である。
【図１６】機構が収納位置にあり、かつ、分かり易くするために、ベースフレームの一部が取り除かれた、図１４の家具部材の別の側面図である。
【図１７】機構が伸展位置にあり、かつ、分かり易くするために、ベースフレームの一部が取り除かれた、図１４の家具部材の側面図である。
【図１８】機構が伸展位置にあり、かつ、分かり易くするために、ベースフレームの別の一部が取り除かれた、図１４の家具部材の別の側面図である。
【図１９】機構が伸展位置にある時の、図１４の家具部材の斜視図である。
【図２０】機構が伸展位置にある時の、図１４の家具部材の部分斜視図である。
【図２１】収納位置と伸展位置との間の位置にある機構の一部の斜視図である。
【図２２】図１４の位置にある機構の一部の別の斜視図である。
【図２３】図２１の位置にある機構の一部の側面図である。
【図２４】図２１の位置にある機構の一部の別の側面図である。
【図２５】収納位置にあり、かつ、本願開示の原理に沿った椅子張りシステムを有する、図１の家具部材の斜視図である。
【図２６】伸展位置にある時の、図２５の家具部材の斜視図である。
【図２７】伸展位置にある時の、図２５の家具部材の部分斜視図である。
【図２８】伸展位置にある時の、図２５の家具部材の別の部分斜視図である。
【００３５】
いくつかの図面を通して、対応する参照番号は、対応する部分を示す。
【発明を実施するための形態】
【００３６】
添付の図面を参照して、例示的実施形態をより詳細に説明する。
【００３７】
本願開示を十全なものとし、かつ本願開示により請求の範囲が当業者に十分に伝わるように実施形態を提示する。本願開示の実施形態の十全な理解を提供するため、具体的な構成要素、素子及び方法の例など、数多くの具体的詳細を記載している。当業者にとって、具体的な詳細を用いる必要はなく、例示的実施形態は多くの異なる形態で実装可能であり、また本願開示を限定するものと解釈すべきでないことは明らかであろう。いくつかの例示的実施形態において、公知の方法、公知の素子構造及び公知の技術は、詳細に記載されない。
【００３８】
本明細書中で用いられる用語は、具体的な例示的実施形態を記述することのみを目的とするものであり、限定的であることを意図しない。本明細書で使用される際、単数形は、明示されていない限り複数形も含むことを意図する。用語「備える」、「備えて」、「含んで」および「有して」は包括的であり、述べられた特徴、整数、工程、操作、要素、および/または部品の存在を特定する。しかし、１以上の特徴、整数、工程、操作、要素、部品および/または群の存在または追加を排除するものではない。本明細書で記載される方法工程、プロセスおよび操作は、実行順序として詳細に特定されない限り、必ずしも記載または図示された特定の順序で実行を要するものと解釈されるべきではない。追加工程または代替工程が用いられてもよいことも理解されるであろう。
【００３９】
要素または層が、他の要素または層「上に」ある、「に係合」、「に接続」または「に連結」すると記される場合、この要素または層は直接に他の要素または層上にあるか、係合、接続、または連結してもよい。または、介在要素または層があってもよい。一方、要素が、他の要素または層の「直接上に」ある、「に直接係合」、「に直接接続」または「に直接連結」すると記される場合、介在要素または層は存在しなくてよい。要素同士の関係を説明するのに使用される他の文言（例えば、「の間に」と「直接の間に」、「隣接して」と「直接隣接して」など）は、同様に解釈されるべきである。本明細書で用いられる際、用語「および/または」は１以上の関連づけられたリスト項目の全ての組み合わせを含む。
【００４０】
第一、第二、第三等の用語が各種要素、部品、領域、層および/または切断面を説明するために本明細書で使用されるが、これらの要素、部品、領域、層および/または切断面はこれらの用語により限定されるものではない。これらの用語は、ある要素、部品、領域、層および/または切断面を他の領域、層または切断面から区別するためにのみ使用されてもよい。本明細書で使用される際の「第一」「第二」のような用語および他の数に関する用語は、文脈で明示されない限り、配列または順序を意味しない。したがって、下記で論じられる第一要素、部品、領域、層および/または切断面は、実施例の教示から逸脱することなく第二要素、部品、領域、層および/または切断面と称されることも可能である。
【００４１】
「インナー」、「アウター」、「真下に」、「下に」、「下側の」「上に」、「上部に」等のような空間的に相対的な用語が、図示する際、ある要素または特徴と他の要素または特徴との関係の記載を容易にするために、本明細書で使われてもよい。空間的に相対的な用語は、図示される向きに加えて、使用時または操作時における装置の異なる向きを包含するとしてもよい。例えば、図の装置がひっくり返ると、他の要素または特徴の「下に」または「真下に」と記載される要素は、他の要素または特徴の「上に」置かれるだろう。このように、例示の用語「下に」は上と下両方への向きを包含することが可能である。装置は他方向に向かされてもよい（９０度回動または他の向きに）。本明細書で使用される空間関連記述子は適宜解釈される。
【００４２】
図１〜６を参照して、家具部材１０は、ベースフレーム１２、および１つ以上のシートアセンブリ１４（そのうちの１つだけ図示される）を備えてもよい。各シートアセンブリ１４は、背もたれフレーム１６と、座面フレーム１８と、リクライニング／レッグレスト機構１９とを備える。当該機構１９は、一対のリンク機構２０（一方のみ図示）およびアクチュエータアセンブリ２２を備える（図５）。アクチュエータアセンブリ２２とリンク機構２０とが協働し、背もたれフレーム１６および座面フレーム１８を相対的にかつベースフレーム１２に対して移動させると同時に、レッグレスト台２４をフレーム１２、１６、１８に対して、収納位置（図１、２Ａおよび２Ｂ）と伸展位置（図３および４）との間で移動させる。以下でより詳細に記載されるように、リンク機構２０が収納位置から伸展位置に移動することにより、背もたれフレーム１６も直立位置からリクライニング位置に移動する。
【００４３】
図１および５に示されるように、ベースフレーム１２は、前側サポート２６、後側サポート２８、一対のアームレスト３０、複数の側面サポート３２、複数のシートサポートフレーム３４、および複数の脚部３６とを備える固定構造体であってもよい。側面サポート３２は、前側サポート２６と、背もたれフレーム１６および座面フレーム１８に隣接する後側サポート２８との間にわたって延出する。図１および３に示されるように、各シートアセンブリ１４は、隣り合う側面サポート３２の間に装着される。
【００４４】
シートサポートフレーム３４は、それぞれ対応するシートアセンブリ１４の直下に配置され、シートアセンブリ１４を支持する。図５に示されるように、各シートサポートフレーム３４は、前側レール３８、後側レール４０および一対の中間レール４２を備えてもよい。前側レール３８および後側レール４０は、隣接する側面サポート３２の間に固定される。中間レール４２は、前側レール３８および後側レール４０の間に延び、固定される。各中間レール４２には、側面方向外側に延出する支持部材４４が取り付けられる。第１ローラー４８を有した第１ブラケット４６が、各支持部材４４に取り付けられてもよい（図６参照）（第１ブラケット４６の１つと第１ローラー４８の１つのみを図示）。第２ローラー５２を有した第２ブラケット５０が、各中間レール４２の前端部に取り付けられてもよい（図５および６参照）（第２ブラケット５０の１つと第２ローラー５２の１つのみを図示）。
【００４５】
図１および３に示されるように、各背もたれフレーム１６は、背もたれクッション（図示せず）を支持してもよく、一対の側面支持部材５４、およびこれらの支持部材５４間に延出する一対のクロス部材５６を備えてもよい。図１〜４に示されるように、側面支持部材５４の垂直方向上端部は、ヒンジブラケット５９を介して、ベースフレーム１２の側面サポート３２に枢動可能に装着されてもよい。
【００４６】
背もたれフレーム１６は、背もたれフレーム１６の上端部を通って伸びる軸を中心に枢動するので、家具部材１０の最後端部（すなわち、ベースフレーム１２の後側サポート２８）と家具部材１０が置かれる部屋（図示せず）の壁（図示せず）との間に隙間は必要ない。すなわち、背もたれフレーム１６が、直立位置とリクライニング位置との間を移動する間、後側サポート２８（およびベースフレーム１２の残部）は静止したままであり、背もたれフレーム１６がリクライニング位置に移動しても、家具部材１０のいずれの部分も、後側サポート２８よりもさらに後方に移動することはない。したがって、背もたれフレーム１６が直立位置にある場合に後側サポート２８が壁に接触する位置を含めて、部屋の中の任意の所望の位置に家具部材１０を置くことができる。部屋の中の所望の位置に置かれた状態の家具部材１０の内部で、背もたれフレーム１６を完全にリクライニングさせることができる。さらに、後側サポート２８は、傾斜した構成（図１から４に示されるように、後側サポート２８は床に対して非直角である）または垂直構成（後側サポート２８は床に対して直角である）であってもよい。
【００４７】
各座面フレーム１８は、背もたれクッション（図示せず）を支持してもよく、一対の側面支持部材５８、およびこれらの支持部材５８間に延出する一対のクロス部材６０を備えてもよい。座面フレーム１８の各側面支持部材５８は、ベースフレーム１２の中間レール４２に装着された第２ローラー５２を収容する、可動式湾曲トラック６２（図５および６）を備えてもよい。図１から４に示されるように、収納位置（図１、２Ａおよび２Ｂ）と伸展位置（図３および４）の間をリンク機構２０が移動すると、それに対応してベースフレーム１２に対して背もたれフレーム１６および座面フレーム１８が移動し、かつ、背もたれフレーム１６および座面フレーム１８が相対的に移動するように、背もたれフレーム１６および座面フレーム１８の側面支持部材５４および５８に、リンク機構２０が連結される。下記でより詳しく説明する。リンク機構２０が収納位置と伸展位置の間を移動するにつれ、座面フレーム１８の湾曲トラック６２が第２ローラー５２に対して移動し、ベースフレーム１２が座面フレーム１８を移動可能に支持する。
【００４８】
図８〜１３に示されるように、各リンク機構２０は、リクライニングリンク機構６４、揺動リンク機構６６、伸展リンク機構６８および伸縮サポートトラックアセンブリ７０を備えてもよい。リクライニングリンク機構６４は、背もたれフレーム１６に接続され、機構１９が収納位置と伸展位置との間を移動するにつれ、背もたれフレーム１６がリクライニングする（すなわち、ヒンジブラケット５９を中心に枢動する）ようにさせる。各リクライニングリンク機構６４は、第１取付リンク７２、第１接続リンク７４および第２接続リンク７６を備えてもよい。
図５に示されるように、第１取付リンク７２は、背もたれフレーム１６の対応する側面支持部材５４に固定されてもよい。
図８および９に示されるように、第１接続リンク７４の両端は、それぞれ第１取付リンク７２と第２接続リンク７６に回動可能に連結されてもよい。
【００４９】
図９および１２に示されるように、揺動リンク機構６６は、第２取付リンク７８、第１揺動リンク８０、第２揺動リンク８２および第３揺動リンク８３を備えてもよい。
図５および６に示されるように、第２取付リンク７８は、ベースフレーム１２の対応する側面サポート３２に固定されてもよい。
図９および１２に示されるように、第１揺動リンク８０は、合わせて略Ｌ字形部材を形成する第１脚部８４および第２脚部８６を備えてもよい。第１脚部８４の先端は、第２取付リンク７８に回動可能に接続されてもよい。
図９および１２に示されるように、第２揺動リンク８２は、略三角形状の部材であり、第１隅部で、第１揺動リンク８０の中間部（すなわち、第１および第２脚部８４、８６の交点またはその近傍）に接続されてもよい。第２揺動リンク８２の第２隅部は、第３揺動リンク８３に回動可能に接続されてもよい。
いくつかの構成において、第２揺動リンク８２の第３隅部は、第１揺動リンク８０の第２脚部８６の先端に、ばね（図示せず）または他の弾性伸縮部材により接続可能である。第２揺動リンク８２の第１隅部および／または第１揺動リンク８０の中間部は、第１中間リンク８８に回動可能に連結されてもよい（図９および１２）。第１中間リンク８８も、リクライニングリンク機構６４の第２接続リンク７６に回動可能に連結されてもよい。第２揺動リンク８２の中央部は、第２中間リンク９０に回動可能に連結されてもよい（図９および１２）。
【００５０】
図８、９、１２および１３に示すように、伸縮サポートトラックアセンブリ７０は、湾曲した第１トラック部材９１および湾曲した第２トラック部材９３を備えてもよい。第１トラック部材９１および第２トラック部材９３は、機構１９が収納位置から伸展位置に移動するにつれ、第２トラック部材９３が第１トラック部材９１に対して外側に摺動可能なように、互いに対して摺動可能に装着される。例えば、１つ以上の第３ローラー４７（図７および８）が、第１トラック部材９１に装着され、転動するように第２トラック部材９３に係合してもよく、それにより第１および第２トラック部材９１、９３の相対移動を容易にする。第２トラック部材９３の先端部９９（図８および９）は、第２トラック部材９３の残りの部分より外側に延出するにつれ下向きに延出するように、残りの部分に対して角度をつけてもよい。
【００５１】
図１０、１２および１３に示されるように、第２トラック部材９３および伸展リンク機構６８は、レッグレスト台２４が固定される第３取付ブラケット９４に回動可能に連結される（図５）。図６に示されるように、第１トラック部材９１が第１ローラー４８に対して移動可能としつつ、中間レール４２が第１トラック部材９１を支持可能なように、第１トラック部材９１は、第１ローラー４８を収容する。また、第１トラック部材９１は、座面フレーム１８に装着された第４ローラー４９（図７）も収容し、その結果、第１トラック部材９１が座面フレーム１８を支持することができる。
いくつかの構成では、第１トラック部材９１は、１つ以上の折り畳み式長椅子パネル９７を支持する長椅子パネル支持部材９５（図５）に固定され、長椅子パネル支持部材９５を支持してもよい。
【００５２】
図１０、１２および１３に示されるように、スローアーム９２は、揺動リンク機構６６を伸展リンク機構６８およびサポートトラックアセンブリ７０に可動に接続してもよい。スローアーム９２の第１端部は、第２中間リンク９０の一端に回動可能に連結されてもよい。スローアーム９２の第１端部は、また、第１トラック部材９１に回動可能に連結される。接続リンク９８は、スローアーム９２の第２端部および第２トラック部材９３に回動可能に連結されてもよい。スローアーム９２の第１中間部は、伸展リンク６８に回動可能に連結されてもよい。スローアーム９２の第２中間部（第１端部と第１中間部との間）は、第３揺動リンク８３に回動可能に連結されてもよい。
いくつかの構成において、スローアーム９２の回動により、ベースフレームに対して、背もたれフレーム１６、座面フレーム１８およびレッグレスト台２４（レッグレスト台２４の伸展および回動）が動くタイミングが決定される。
【００５３】
図５および６に示されるように、アクチュエータアセンブリ２２は、モータ１００、ガイド部材１０２およびスライド部材１０４を備える。ガイド部材１０２は、ブラケット１０６により、ベースフレーム１２の後側レール４０に回動可能に連結されてもよい。スライド部材１０４は、ガイド部材１０２に沿って摺動可能であり、ブラケット１０８により座面フレーム１８に回動可能に連結されてもよい。モータ１００を第１方向に操作すると、スライド部材１０４がガイド部材１０２に沿ってモータ１００から離れるように移動する。これにより、座面フレーム１８およびリンク機構２０が伸展位置に向かって移動する。同時に、背もたれフレーム１６がリクライニング位置に向かって移動する。モータ１００を第２方向に操作すると、スライド部材１０４がガイド部材１０２に沿ってモータ１００に向かって移動する。これにより、座面フレーム１８およびリンク機構２０が収納位置に向かって移動する。同時に、背もたれフレーム１６が直立位置に向かって移動する。リンク機構２０は、レッグレスト台２４、座面フレーム１８および背もたれフレーム１６を同時に移動させることができるので、機構１９は、（レッグレスト伸展用モータを１つおよび背もたれリクライニング用モータを１つと言うよりはむしろ）１つのモータを組み込んでさえいればいい。したがって、モータ１００を制御するのに、２ボタンコントローラを組み込むことも可能である（例えば、機構１９を伸展位置側へ移動させるためのボタンと、機構１９を収納位置側へ移動させるためのボタン）。
【００５４】
機構１９が収納位置と伸展位置の間を移動する際、湾曲した第１トラック部材９１は、座面、背もたれおよびレッグレストの動きのための湾曲したガイド経路を規定する。第２トラック部材９３の湾曲形状は、以下の動作を実現するよう形成される。（１）レッグレスト台２４の張地が座面の張地から離れる（すなわち、第１トラック部材９１に装着されたローラー４７の１つが、第２トラック部材９３の傾斜先端部９９（図８および９）を通過する）ような、リンク機構２０の伸展し始めでのわずかな沈み込む動作、および、（２）（リンク機構２０が伸展位置に向かって移動し続ける際の）レッグレスト台２４を伸展し持ち上げて、座っている人の脚を持ち上げ支持する、その後の動作。このように、第１および第２トラック部材９２、９３は協働して、レッグレスト台２４を伸展させ、持ち上げる。
【００５５】
図示される上記記載の機構１９の構成は、従来のリンク機構に対していくつかの利益および効果を提供する。例えば、サポートトラックアセンブリ７０の伸縮動作と、サポートトラックアセンブリ７０および座面フレーム１８のローラー４８、５２に沿った動作により、機構１９が伸展位置にある時に、レッグレスト台２４がさらに伸展可能とされ、一方、機構１９が収納位置にある時には、機構１９をよりコンパクト（すなわち、「ロープロファイル」）に収納可能とする。これにより、家具部材１０は、完全伸展位置において、従来のリクライニングと同じくらいまたはそれ以上の快適さを提供する、と同時に、家具部材が、一般的な固定式家具と同じく、見た目の美しさおよびデザイン性を有することを可能とする。
【００５６】
すなわち、機構１９の構成により、従来の可動式家具では見られなかった様々な形状および構成を有するベースフレーム１２が実現される。例えば、図２Ａに図示されるように、ベースフレーム１２は、機構１９が収納位置にある時、機構１９のどの部分も見えない状態の高脚の構成（例えば、いくつかの実施形態では５．５インチの高さの脚部３６を備える）を有することも可能である。さらに、家具部材１０は、座席フレーム高さが低くてもよい（例えば、収納位置において床から座面フレーム１８の上面までが１１．５インチ）。高い脚部と低い座席フレーム高さのこの組合せにより、収納位置にある時に機構１９全体が格納される領域が非常に小さい。
【００５７】
さらに、図１〜１３および２５〜２８に図示される特定の家具部材１０は、奥行き（すなわち、家具部材の前端と後端との間に延びる方向）が、脚部３６がベースフレーム１２に取り付けられる高さで、約３２インチである。この奥行きだと、収納位置での機構１９のスペースは約３０インチ残るだけである。レッグレスト台２４は、約６インチの高さであってよく、完全伸展位置では座面フレーム１８の前端部から前方に約１９インチ分延出する。機構１９が収納位置にある時は見えないままにしておきつつ、上述のような大きな範囲での動きを達成するために、機構１９は、かなりロープロファイルで、かつ、大きい伸展量が可能であるように構成される。
【００５８】
リンク機構２０の可動範囲が長いことにより、機構１９が完全伸展位置にある時、背もたれフレーム１６およびレッグレスト台２４が「無重力」位置にあることが可能となる。この「無重力」位置は、使用者の足（完全に伸展したレッグレスト台２４上にある時）が、使用者の心臓の鉛直方向高さ地点またはその近傍に位置付けられるので、多くの使用者にとって特に快適であるかもしれない。家具部材１０において使用者の身体が「無重力」位置に置かれることで、休息とくつろぎが促進される。
【００５９】
さらに、機構１９の構成と、背もたれフレーム１６および座面フレーム１８の相対的動作およびベースフレーム１２に対しての動作とにより、機構１９が完全収納位置と完全伸展位置との間で動くにつれ、背もたれフレーム１６を有効に「伸長させる」ことができる。言い換えれば、背もたれの有効長さ、すなわち、背もたれフレーム１６の上部と座面フレーム１８の特定部分との距離Ｌ１（図１および２Ｂ）が、背もたれフレーム１６がリクライニングし、機構１９が収納位置と伸展位置との間を移動するにしたがい（図３および４の有効長さ、すなわち、距離Ｌ２を参照）増加する。座面フレーム１８は、機構１９が完全収納位置から完全伸展位置に移動すると、ベースフレーム１２に対して約７インチ前方へ動く。この有効長さの変化、すなわち、背もたれフレーム１６と座面フレーム１８との離間により、完全直立位置と完全リクライニング位置の間の、背もたれフレーム１６のベースフレーム１２に対する実際の角度変化よりも、使用者の身体はもっと後側へリクライニングしていると感じることができるだろう。例えば、距離Ｌ１は、約２３．７５インチであり、距離Ｌ２は２７インチであってもよい。
【００６０】
尚、機構１９は、一人掛け用椅子、可動式ソファ、可動式二人掛けソファ、または、家具部材の任意のスタイルまたはタイプに組み込むことが可能である。
さらに、機構１９は、モータ駆動式アクチュエータアセンブリ２２により動力が供給されるものとして上述されるが、いくつかの構成においては、リンク機構２０を手動で動作させることも可能である。
【００６１】
図１４〜２０を参照して、家具部材２１０は、ベースフレーム２１２、背もたれフレーム２１６、座面フレーム２１８、およびリクライニング−レッグレスト機構２１９を備えてもよい。機構２１９は、一対のリンク機構２２０（一方のみ図示）およびアクチュエータアセンブリ２２２（図１９および２０）を備えてもよい。アクチュエータアセンブリ２２２とリンク機構２２０とが協働し、背もたれフレーム２１６および座面フレーム２１８を相対的にかつベースフレーム２１２に対して移動させると同時に、レッグレスト台２２４（図１６および１７）をフレーム２１２、２１６、２１８に対して、収納位置（図１４−１６）と伸展位置（図１７〜２０）との間で移動させる。以下でより詳細に記載されるように、リンク機構２２０が収納位置から伸展位置に移動することにより、背もたれフレーム２１６も直立位置からリクライニング位置に移動する。
【００６２】
図１４〜２０に示されるように、ベースフレーム２１２は、後側サポート２２８、一対のサイドフレーム２３０、シートサポートフレーム２３４、および複数の脚部２３６とを備えた固定式構造であってもよい。シートサポートフレーム２３４は、座面フレーム２１８およびリンク機構２２０の直下に配置され、これらを支持する。図１９に示されるように、シートサポートフレーム２３４は、一対の前後延伸レール２３８、およびクロスレール２４２を備えてもよい。前後延伸レール２３８は、クロスレール２４２に固定され、クロスレール２４２から後側サポート２２８まで延びる。クロスレール２４２は、サイドフレーム２３０の間に延び、サイドフレーム２３０に固定される。各前後延伸レール２３８は、そこから側面方向外側に延出する支持部材２４４を有する。第１ローラー２４８を有した第１ブラケット２４６は、各支持部材２４４に取り付けられてもよい（図１９参照）（第１ブラケット２４６の１つと第１ローラー２４８の１つのみを図示）。第３ローラー２５２をそれぞれが有する一対の第２ブラケット２５０（一方のみ図示）は、クロスレール２４２に取り付けられてもよい（図２０参照）。
【００６３】
各背もたれフレーム２１６は、背もたれクッション（図１４〜１７）を支持してもよく、一対の側面支持部材２５４、およびこれらの支持部材２５４間に延出する一対のクロス部材２５６を備えてもよい（図１９）。側面支持部材２５４の上端部２５７は、ヒンジブラケット２５９を介して、ベースフレーム２１２に枢動可能に装着されてもよい（図１９）。背もたれフレーム２１６は、背もたれフレーム２１６の上端部を通って伸びる軸を中心に枢動するので、家具部材２１０の最後端部（例えば、ベースフレーム２１２の後側サポート２２８）と家具部材２１０が置かれる部屋（図示せず）の壁（図示せず）との間に特別な隙間または追加の隙間は必要ない。すなわち、背もたれフレーム２１６が、直立位置とリクライニング位置との間を移動する間、後側サポート２２８（およびベースフレーム２１２の残部）は静止したままであり、背もたれフレーム２１６がリクライニング位置に移動しても、家具部材２１０のいずれの部分も、背もたれフレーム２１６が直立位置にある時よりもさらに後方に移動することはない。
【００６４】
各座面フレーム２１８は、背もたれクッションを支持してもよく、一対の側面支持部材２５８、およびこれらの支持部材２５８間に延出する一対のクロス部材２６０を備えてもよい。座面フレーム２１８の側面支持部材２５８は、それぞれ、ベースフレーム２１２のクロスレール２４２に装着された第２ローラー２５２を収容する、可動式湾曲トラック２６２（図１９および２０）を備えてもよい。
図１６および１７に示されるように、収納位置と伸展位置の間をリンク機構２２０が移動すると、それに対応してベースフレーム２１２に対して背もたれフレーム１６および座面フレーム２１８が移動し、かつ、背もたれフレーム２１６および座面フレーム２１８が相対的に移動するように、背もたれフレーム２１６および座面フレーム２１８の側面支持部材２５４および２５８に、リンク機構２２０が連結される。下記でより詳しく説明する。
リンク機構２２０が収納位置と伸展位置の間を移動するにつれ、座面フレーム２１８の湾曲トラック２６２が第２ローラー２５２に対して移動し、ベースフレーム２１２が座面フレーム２１８を移動可能に支持する。
【００６５】
各リンク機構２２０は、リクライニングリンク機構２６４（図１６および１７）、揺動リンク機構２６６（図２１〜２４）、伸展リンク機構２６８（図２１〜２４）、湾曲サポートトラック２７０（図２１〜２４）およびパンタグラフリンク機構２７１（図２１〜２４）を備えてもよい。リクライニングリンク機構２６４は、背もたれフレーム２１６に接続され、機構２１９が収納位置と伸展位置との間を移動するにつれ、背もたれフレーム２１６がリクライニングする（すなわち、ヒンジブラケット２５９を中心に枢動する）ようにさせる。各リクライニングリンク機構２６４は、第１取付リンク２７２、第１接続リンク２７４および第２接続リンク２７６を備えてもよい（図１８および１９）。図１８および１９に示されるように、第１取付リンク２７２は、背もたれフレーム２１６の対応する側面支持部材２５４に固定されてもよい。第１接続リンク２７４の両端は、それぞれ第１取付リンク２７２と第２接続リンク２７６に回動可能に連結されてもよい。座面フレーム２１８が動くと、対応してリクライニングリンク機構２６４が動き、背もたれフレーム２１６を直立位置（図１６）とリクライニング位置（図１７）の間で移動させるように、第２接続リンク２７６は、座面フレーム２１８の側面支持部材２５８に固定されてもよい（図１９）。
【００６６】
図２１〜２４に示されるように、揺動リンク機構２６６は、第２取付リンク２７８、第１揺動リンク２８０および第２揺動リンク２８２を備えてもよい。
図１９に示されるように、第２取付リンク２７８は、ベースフレーム２１２の対応するサイドフレーム２３０に固定されてもよい。
図２１〜２４に示されるように、第１揺動リンク２８０は、合わせて略Ｌ字形部材を形成する第１脚部２８４および第２脚部２８６を備えてもよい。第１脚部２８４の先端は、第２取付リンク２７８に回動可能に接続されてもよい。第２揺動リンク２８２は、略三角形状の部材であり、第１隅部で、第１揺動リンク２８０の中間部（すなわち、第１および第２脚部２８４、２８６の交点またはその近傍）に接続されてもよい。第２揺動リンク２８２の第２隅部は、同様にサポートトラック２７０に回動可能に接続されるスローリンク２９２に回動可能に接続されてもよい。第２揺動リンク２８２の第３隅部は、第１揺動リンク２８０の第２脚部２８６の先端に、ばねまたは他の弾性伸縮部材により接続されてもよい。第２揺動リンク２８２の第１隅部および／または第１揺動リンク２８０の中間部は、第１中間リンク２８８に回動可能に連結されてもよい。第１中間リンク２８８は、座面フレーム１８に取り付けられ、座面フレーム１８を支持してもよい。第２揺動リンク８２の中央部は、伸展リンク２６８に回動可能に接続されてもよい。
【００６７】
図２０に示されるように、サポートトラック２７０は、第１ローラー２４８（ベースフレーム２１２に装着）および第２ローラー２４９（座面フレーム２１８に装着）を移動可能に収容する溝２９４を有する湾曲部材であってもよい。このようにして、ローラー２４８、２４９は、移動可能にリンク機構２２０および座面フレーム２１８を支持する。
【００６８】
図２１〜２４に示されるように、パンタグラフリンク機構２７１は、第１および第２スローリンク２９６、２９８、第１、第２および第３中間リンク３００、３０２、３０４、接続リンク３０６、および第１および第２サポートリンク３０８、３１０を備えてもよい。第１スローリンク２９６は、サポートトラック２７０、伸展リンク２６８、第１および第２中間リンク３００、３０２に回動可能に連結されてもよい。第２スローリンク２９８は、サポートトラック２７０、第２中間リンク３０２および第３中間リンク３０４に回動可能に連結されてもよい。第１、第２および第３中間リンク３００、３０２、３０４は、第２サポートリンク３１０に回動可能に連結されてもよい。第１サポートリンク３０８は、第２サポートリンク３１０および接続リンク３０６に回動可能に連結されてもよい。図１７に示されるように、第１サポートリンク３０８は、レッグレスト台２２４に取り付けられ、レッグレスト台２２４を支持してもよい。
図１７に示されるように、第２サポートリンク３１０は、中間レッグレスト台２２５に取り付けられ、中間レッグレスト台２２５を支持してもよい。
【００６９】
図１９および２０に示されるように、アクチュエータアセンブリ２２２は、モータ３１２、ガイド部材３１４およびスライド部材３１６を備える。ガイド部材３１４は、ブラケット３１８により、ベースフレーム２１２の後側サポート２２８に回動可能に連結されてもよい。スライド部材３１６は、ガイド部材３１４に沿って摺動可能であり、ブラケット３２０により座面フレーム２１８に回動可能に連結されてもよい。モータ３１２を第１方向に操作すると、スライド部材３１６がガイド部材３１４に沿ってモータ３１２から離れるように移動する。これにより、座面フレーム２１８およびリンク機構２２０が伸展位置に向かって移動する。同時に、背もたれフレーム２１６がリクライニング位置に向かって移動する。モータ３１２を第２方向に操作すると、スライド部材３１６がガイド部材３１４に沿ってモータ３１２に向かって移動する。これにより、座面フレーム２１８およびリンク機構２２０が収納位置に向かって移動する。同時に、背もたれフレーム２１６が直立位置に向かって移動する。リンク機構２２０は、レッグレスト台２２４、座面フレーム２１８および背もたれフレーム２１６を同時に移動させることができるので、機構２１９は、（レッグレスト伸展用モータを１つおよび背もたれリクライニング用モータを１つと言うよりはむしろ）１つのモータを組み込んでさえいればいい。したがって、モータ３１２を制御するのに、２ボタンコントローラを組み込むことも可能である（例えば、機構２１９を伸展位置側へ移動させるためのボタンと、機構２１９を収納位置側へ移動させるためのボタン）。
【００７０】
図示される上記記載の機構２１９の構成は、従来のリンク機構に対していくつかの利益および利点を提供する。例えば、サポートトラック２７０と、サポートトラック２７０および座面フレーム２１８のローラー２４８、２５２に沿った動作により、機構２１９が伸展位置にある時に、レッグレスト台２２４をさらに伸展可能とし、一方、機構２１９が収納位置にある時には、機構２１９をよりコンパクト（すなわち、「ロープロファイル」）に収納可能とする。これにより、家具部材２１０は、完全伸展位置において、従来のリクライニングと同じくらいまたはそれ以上の快適さを提供する、と同時に、家具部材が、一般的な固定式家具と同じく、見た目の美しさおよびデザイン性を有することを可能とする。
【００７１】
すなわち、機構２１９の構成により、従来の可動式家具では見られなかった様々な形状および構成を有するベースフレーム２１２が可能となる。例えば、図１５に図示されるように、ベースフレーム２１２は、機構２１９が収納位置にある時、機構２１９がほとんど見えないか全く見えない高脚の構成（例えば、いくつかの実施形態では６インチの高さの脚部２３６を備える）を有することも可能である。さらに、家具部材２１０の座席フレーム高さが低くてもよい（例えば、収納位置において床から座面フレーム２１８の上面までが１１．５インチ）。高い脚部と低い座席フレーム高さのこの組合せにより、収納位置にある時に機構２１９全体がしまわれる領域が非常に小さい。
【００７２】
リンク機構２２０の動きの範囲が長いことにより、機構２１９が完全伸展位置にある時、背もたれフレーム２１６およびレッグレスト台２２４が「無重力」位置にあることが可能となる。この「無重力」位置は、使用者の足（完全に伸展したレッグレスト台２２４上にある時）が、使用者の心臓の鉛直方向高さ地点またはその近傍に位置付けられるので、多くの使用者にとって特に快適であるかもしれない。家具部材２１０において使用者の身体が「無重力」位置に置かれることは、十分な休息とリラックスを促進する。
【００７３】
尚、機構２１９は、一人掛け用椅子、可動式ソファ、可動式二人掛けソファ、または、家具部材の任意のスタイルまたはタイプに組み込むことが可能である。さらに、機構２１９は、モータ駆動式アクチュエータアセンブリ２２２により動力が供給されるものとして上述される一方、いくつかの構成においては、リンク機構２２０を手動で動作させることも可能である。
【００７４】
図２５〜２８を参照して、家具部材１０は、ベースフレーム１２、背もたれフレーム１６および座面フレーム１８を覆う椅子張りシステム５００を有して表される。両方のシートアセンブリ１４の背もたれフレーム１６は、１つの単一背もたれクッション５０２によって覆われてもよい。背もたれ張地５０４は、背もたれクッション５０２の少なくとも一部を覆うようにピンと張られる。各座面フレーム１６は、張地層５０８でそれぞれ覆われた座面クッション５０６により覆われる。いくつかの構成において、座面クッション５０２は、約８インチの高さ（厚み）を有してもよい。図２５〜２８に示されるように、背もたれフレーム１６がリクライニングし、機構１９が伸展位置側に移動するにつれて、一方の座面クッションおよび張地５０６、５０８全体は、それぞれ、他方の座面クッションおよび張地５０６、５０８全体に対して移動可能であり、背もたれクッションおよび張地５０２、５０４に対して移動可能である。
【００７５】
図２６〜２８に示されるように、背もたれフレーム１６がリクライニングし、機構１９が伸展位置側に移動するにつれて、背もたれクッションおよび張地５０２、５０４の第１および第２下部５１０、５１１は、互いに、かつ、背もたれクッションおよび張地５０２、５０４の中間部および上部５１２、５１４に対して独立に移動可能である。
図２７および２８に示されるように、背もたれフレーム１６がリクライニング位置側へ移動するにしたがい、第１および第２下部５１０、５１１の一方は、背もたれフレーム１６の下端の前方回動に応じて、前方へ回動可能である。
【００７６】
図２６および２８に示されるように、背もたれフレーム１６がリクライニング位置にあり、機構１９が伸展位置にある時、座面クッションおよび張地５０６、５０８の後端５１８と下部５１１との間に隙間５１６が形成される。これは、上述の背もたれフレーム１６の有効長さの変化によるものである（すなわち、Ｌ２＞Ｌ１）。背もたれフレーム１６が直立位置にあり、機構１９が収納位置にある時、隙間５１６は完全に塞がれる（すなわち、後端５１８が下部５１１と当接する）。
【００７７】
図２６に示されるように、各シートアセンブリ１４は、機構１９が伸展位置にある時、リンク機構２０を少なくとも部分的に覆う張地層またはシート５２０を備えてもよい。クロス部材５２２（図３および４）は、各座面フレーム１８に装着され、機構１９が伸展位置にある時は対応する張地シート５２０を支持してもよい。張地シート５２０は、機構１９が収納位置にある時は、座面フレーム１８の直下で折り畳まれてもよい。
【００７８】
上述の椅子張りシステム５００の構造および機能により、家具部材１０は、完全伸展リクライニング位置において、従来のリクライニングと同じくらいまたはそれ以上の快適さを提供する、と同時に、家具部材１０が、一般的な固定式家具と同じく、見た目の美しさおよびデザイン性を有することを可能とする。椅子張りシステム５００が、上述の機構１９を備えた家具部材１０に組み込まれるものと記載される一方、椅子張りシステム５００は、異なるリクライニング／レッグレスト機構を有する他の家具に組み込み可能である。
【００７９】
実施形態に関する上記記載は、図解および説明の目的で提供される。網羅的または開示事項を限定することを意図しない。特定の実施形態の個別の要素または特徴は、一般にその特定の実施形態に限定されないが、適用可能な場合には、詳細に図示または説明されないとしても選択された実施形態で交換可能であり、使用可能である。同じものが多くの点で変更されてもよい。そのような変更は本願開示事項からの逸脱とはみなされない。そのような修正は全て本願開示事項の範囲内に含まれることが意図される。
【図１】
0006732881.tif 000002
【図２Ａ】
0006732881.tif 000003
【図２Ｂ】
0006732881.tif 000004
【図３】
0006732881.tif 000005
【図４】
0006732881.tif 000006
【図５】
0006732881.tif 000007
【図６】
0006732881.tif 000008
【図７】
0006732881.tif 000009
【図８】
0006732881.tif 000010
【図９】
0006732881.tif 000011
【図１０】
0006732881.tif 000012
【図１１】
0006732881.tif 000013
【図１２】
0006732881.tif 000014
【図１３】
0006732881.tif 000015
【図１４】
0006732881.tif 000016
【図１５】
0006732881.tif 000017
【図１６】
0006732881.tif 000018
【図１７】
0006732881.tif 000019
【図１８】
0006732881.tif 000020
【図１９】
0006732881.tif 000021
【図２０】
0006732881.tif 000022
【図２１】
0006732881.tif 000023
【図２２】
0006732881.tif 000024
【図２３】
0006732881.tif 000025
【図２４】
0006732881.tif 000026
【図２５】
0006732881.tif 000027
【図２６】
0006732881.tif 000028
【図２７】
0006732881.tif 000029
【図２８】
0006732881.tif 000030